(57)【要約】【課題】画像データを送信するときの通信方式を設定する際の手間を大幅に軽減することができるネットワーク端末装置を提供することを目的としている。【解決手段】複数の通信方式を設定可能な通信端末装置において、ユーザが指定した通信方式での送信が失敗しても、自動的に他の通信方式で送信を試みることができるので、相手先とのネットワーク構成をユーザが意識しなくても画像データを送信することが可能となるという効果を得る。また、相手通信端末装置との間のネットワークが不調であったり、相手通信端末装置の電源が一時的に落ちていても、画像データを送信することが可能となるという効果も得る。【選択図】　　　　図２
2004104313.tif 000002
【特許請求の範囲】
【請求項１】
ネットワークへ接続し、画像データを複数の通信プロトコルを用いて相手端末へ送信する機能を備えたネットワーク端末装置において、
指定された宛先に対し、上記複数の通信プロトコルを順次適用し、最初に通信可能な通信プロトコルを用いて、当該宛先へ画像データを送信することを特徴とするネットワーク端末装置。
【請求項２】
前記宛先の指定は、ワンタッチダイアルを用い、それぞれのワンタッチダイアルには、前記複数の通信プロトコルの種別と、当該プロトコルを適用する場合のアドレス情報が登録されていることを特徴とする請求項１記載のネットワーク端末装置。
【請求項３】
前記宛先の指定は、ワンタッチダイアルを用い、それぞれのワンタッチダイアルには、前記複数の通信プロトコルの種別と、当該プロトコルを適用する場合のアドレス情報と、当該通信プロトコルの優先順位が登録されており、
指定された宛先について、対応するワンタッチダイアルに登録されている優先順位に従って上記複数の通信プロトコルを選択して通信を試すことを特徴とする請求項１記載のネットワーク端末装置。
【請求項４】
前記複数の通信プロトコルには、優先順位が設定され、
前記宛先の指定は、アドレスの直接入力により行われ、
入力されたアドレスの形式に基づいて適用可能な１つ以上の通信プロトコルを判別するとともに、その判別した１つ以上の通信プロトコルに設定されている優先順位に基づき、通信プロトコルを選択して通信を試すことを特徴とする請求項１記載のネットワーク端末装置。
【請求項５】
通信結果をあらわす通信履歴情報には、そのときに用いた通信プロトコルの識別情報を含むことを特徴とする請求項１または請求項２または請求項３または請求項４記載のネットワーク端末装置。
【発明の詳細な説明】
【０００１】
【発明の属する技術分野】
本発明は、ネットワークへ接続し、画像データを複数の通信プロトコルを用いて相手端末へ送信する機能を備えたネットワーク端末装置に関する。
【０００２】
【従来の技術】
従来、画像データを通信端末装置、及びＰＣに送信する方式として、ＴＴＣ標準Ｔ．３０のファクシミリ通信方式、ＴＴＣ標準Ｔ．３７（メール型インターネットファクス）方式、ＴＴＣ標準Ｔ．３８（リアルタイム型インターネットファクス）方式、ＤｉｒｅｃｔＳＭＴＰ（以下、「Ｄ−ＳＭＴＰ」という；ＳＭＴＰ（後述）プロトコルにてピア・ツー・ピアで送信）方式、スキャン・ツー・電子メール（スキャナで読み取った画像データを電子メールを用いて送信する）方式、スキャン・ツー・ピーシー（ＳＭＢプロトコルにて共有フォルダにピア・ツー・ピアで送信）方式等がある（特許文献１を参照）。
これらの方式には、それぞれメリット、デメリットがあり、どれが最も優れているとは言えない。例えば、Ｔ．３７方式とＴ．３８方式を比較すると、Ｔ．３７方式は企業のファイアーオールを越えて、企業間で通信することができるがファクスの能力交換等を実施することはできない。それに対し、Ｔ．３８方式はファクスの能力交換、送達確認は行えるが、ファイアーオールを越えることは難しいために、企業間の通信を行うことが困難である。
【０００３】
【特許文献１】
特開２０００−３５４１２８号公報
【０００４】
【発明が解決しようとする課題】
このように、画像データを送信する方式が多数存在するため、ユーザはその送信方式ごとに種別、アドレス等を設定しなければならなかった。また、複数の送信方式ごとの種別、アドレスが登録していた場合、ユーザはどの方式を選択すればよいかわからず、混乱することになる。また、種別、アドレス等を設定できても、送信先が指定の送信方式をサポートしていなかった場合等にはエラーとなり、再送信する等の手間がかかっていた。
【０００５】
本発明は、かかる実情に鑑みてなされたものであり、画像データを送信するときの通信方式を設定する際の手間を大幅に軽減することができるネットワーク端末装置を提供することを目的としている。
【０００６】
【課題を解決するための手段】
本発明は、ネットワークへ接続し、画像データを複数の通信プロトコルを用いて相手端末へ送信する機能を備えたネットワーク端末装置において、指定された宛先に対し、上記複数の通信プロトコルを順次適用し、最初に通信可能な通信プロトコルを用いて、当該宛先へ画像データを送信するようにしたものである。
【０００７】
また、前記宛先の指定は、ワンタッチダイアルを用い、それぞれのワンタッチダイアルには、前記複数の通信プロトコルの種別と、当該プロトコルを適用する場合のアドレス情報が登録されているものである。
【０００８】
また、前記宛先の指定は、ワンタッチダイアルを用い、それぞれのワンタッチダイアルには、前記複数の通信プロトコルの種別と、当該プロトコルを適用する場合のアドレス情報と、当該通信プロトコルの優先順位が登録されており、指定された宛先について、対応するワンタッチダイアルに登録されている優先順位に従って上記複数の通信プロトコルを選択して通信を試すようにしたものである。
【０００９】
また、前記複数の通信プロトコルには、優先順位が設定され、前記宛先の指定は、アドレスの直接入力により行われ、入力されたアドレスの形式に基づいて適用可能な１つ以上の通信プロトコルを判別するとともに、その判別した１つ以上の通信プロトコルに設定されている優先順位に基づき、通信プロトコルを選択して通信を試すようにしたものである。
【００１０】
また、通信結果をあらわす通信履歴情報には、そのときに用いた通信プロトコルの識別情報を含むようにしたものである。
【００１１】
【発明の実施の形態】
以下、添付図面を参照しながら、本発明の実施の形態を詳細に説明する。
【００１２】
図１は、本発明の一実施例にかかるネットワークシステムを示している。このネットワークシステムは、ローカルエリアネットワークＬＡＮａを中心とするネットワークＮＮａ、ローカルエリアネットワークＬＡＮｂを中心とするネットワークＮＮｂ、インターネットＩＮＥＴ、および、アナログ公衆回線網ＰＳＴＮからなる。
【００１３】
ネットワークＮＮａにおいて、ローカルエリアネットワークＬＡＮａには、複数のワークステーション装置ＷＡ１〜ＷＡｎ、メールサーバ装置ＭＳａ、および、２つのネットワークファクシミリ装置ＦＡ１，ＦＡ２、ネットワークサーバ装置ＮＳａが接続されているとともに、ルータ装置ＲＴａを介してインターネットＩＮＥＴへ接続されている。
【００１４】
したがって、ワークステーション装置ＷＡ１〜ＷＡｎ、メールサーバ装置ＭＳａ、ネットワークファクシミリ装置ＦＡ１，ＦＡ２、および、ネットワークサーバ装置ＮＳａは、インターネットＩＮＥＴを介し、ネットワークＮＮｂ等の他の適宜な端末装置との間でデータをやりとりすることができる。
【００１５】
ここで、メールサーバ装置ＭＳは、ローカルエリアネットワークＬＡＮａに接続されているワークステーション装置ＷＡ１〜ＷＡｎを利用するユーザ、および、ネットワークネットワークファクシミリ装置ＦＡ１，ＦＡ２に対して、周知の電子メールの収集および配布のサービスを提供するものである。
【００１６】
また、ネットワークサーバ装置ＮＳａは、ローカルエリアネットワークＬＡＮａに接続されているワークステーション装置ＷＡ１〜ＷＡｎ、および、ネットワークネットワークファクシミリ装置ＦＡ１，ＦＡ２に対して、ネームサーバ機能や、ＤＨＣＰサーバ機能等の種々のネットワークサーバ機能を提供するためのものである。
【００１７】
また、ルータ装置ＲＴａには、ファイアウォール（ＦＷ）機能が設けられている。このファイアウォール機能は、ローカルエリアネットワークＬＡＮａとインターネットＩＮＥＴとの間でやりとりするパケットの種別（通常は、ポート番号）を制限することで、ネットワークＮＮａにおけるセキュリティを確保しようとするものである。
【００１８】
また、ワークステーション装置ＷＡ１〜ＷＡｎには、ファクシミリ画情報を作成および表示出力するファクシミリアプリケーションソフトウェア、および、ローカルエリアネットワークＬＡＮａを介して種々のデータのやりとりを行うための種々のソフトウェアなどの種々のプログラムが導入されており、特定のユーザにより使用されるものである。ここで、特定のユーザは、一人または複数人のユーザであってよい。
【００１９】
また、ネットワークファクシミリ装置ＦＡ１，ＦＡ２は、アナログ公衆回線網ＰＳＴＮに接続し、この公衆網を伝送路として用いてグループ３ファクシミリ伝送手順による画情報伝送を行う伝送機能、および、ローカルエリアネットワークＬＡＮａおよびインターネットＩＮＥＴを介して、画情報をやりとりするためのネットワークファクシミリ通信機能を備えている。
【００２０】
ここで、ネットワークファクシミリ通信機能としては、例えば、電子メールを用いて画情報をやりとりするＴ．３７通信機能、ローカルエリアネットワークＬＡＮａやインターネットＩＮＥＴを介してリアルタイムに画情報を通信するＴ．３８通信機能、および、拡張された電子メールプロトコルを利用して画情報を通信するＤ−ＳＭＴＰ通信機能の３つがある。
【００２１】
また、ネットワークファクシミリ装置ＦＡ１，ＦＡ２は、それらの３つのネットワークファクシミリ通信機能のうち、適宜なものを装備している。すなわち、ネットワークファクシミリ装置ＦＡ１，ＦＡ２が、３つのネットワークファクシミリ通信機能の全てを備えているとは限らない。
【００２２】
ネットワークＮＮｂにおいて、ローカルエリアネットワークＬＡＮｂには、複数のワークステーション装置ＷＢ１〜ＷＢｎ、メールサーバ装置ＭＳｂ、および、ネットワークファクシミリ装置ＦＢ、ネットワークサーバ装置ＮＳｂが接続されているとともに、ルータ装置ＲＴｂを介してインターネットＩＮＥＴへ接続されている。
【００２３】
したがって、ワークステーション装置ＷＢ１〜ＷＢｎ、メールサーバ装置ＭＳｂ、ネットワークファクシミリ装置ＦＢ、および、ネットワークサーバ装置ＮＳｂは、インターネットＩＮＥＴを介し、ネットワークＮＮａ等の他の適宜な端末装置との間でデータをやりとりすることができる。
【００２４】
ここで、メールサーバ装置ＭＳは、ローカルエリアネットワークＬＡＮｂに接続されているワークステーション装置ＷＢ１〜ＷＢｎを利用するユーザ、および、ネットワークネットワークファクシミリ装置ＦＢに対して、周知の電子メールの収集および配布のサービスを提供するものである。
【００２５】
また、ネットワークサーバ装置ＮＳｂは、ローカルエリアネットワークＬＡＮｂに接続されているワークステーション装置ＷＢ１〜ＷＢｎ、および、ネットワークネットワークファクシミリ装置ＦＢに対して、ネームサーバ機能や、ＤＨＣＰサーバ機能等の種々のネットワークサーバ機能を提供するためのものである。
【００２６】
また、ルータ装置ＲＴｂには、ファイアウォール（ＦＷ）機能が設けられている。このファイアウォール機能は、ローカルエリアネットワークＬＡＮｂとインターネットＩＮＥＴとの間でやりとりするパケットの種別（通常は、ポート番号）を制限することで、ネットワークＮＮｂにおけるセキュリティを確保しようとするものである。
【００２７】
また、ワークステーション装置ＷＢ１〜ＷＢｎには、ファクシミリ画情報を作成および表示出力するファクシミリアプリケーションソフトウェア、および、ローカルエリアネットワークＬＡＮｂを介して種々のデータのやりとりを行うための種々のソフトウェアなどの種々のプログラムが導入されており、特定のユーザにより使用されるものである。ここで、特定のユーザは、一人または複数人のユーザであってよい。
【００２８】
また、ネットワークファクシミリ装置ＦＢは、アナログ公衆回線網ＰＳＴＮに接続し、この公衆網を伝送路として用いてグループ３ファクシミリ伝送手順による画情報伝送を行う伝送機能、および、ローカルエリアネットワークＬＡＮｂおよびインターネットＩＮＥＴを介して、画情報をやりとりするためのネットワークファクシミリ通信機能を備えている。
【００２９】
また、ネットワークファクシミリ装置ＦＢについても、上述した３つのネットワークファクシミリ通信機能のうち、適宜なものを装備している。すなわち、ネットワークファクシミリ装置ＦＢが、３つのネットワークファクシミリ通信機能の全てを備えているとは限らない。
【００３０】
図２は、ネットワークファクシミリ装置（ＦＡ１，ＦＡ２，ＦＢ）の構成例を示している。
【００３１】
同図において、システム制御部１は、このネットワークファクシミリ装置の各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置に固有な各種の情報を記憶するためのものであり、時計回路４は、現在時刻情報を出力するものである。
【００３２】
スキャナ５は、所定の解像度で原稿画像を読み取るためのものであり、プロッタ６は、所定の解像度で画像を記録出力するためのものであり、操作表示部７は、このネットワークファクシミリ装置を操作するためのもので、各種の操作キー、および、各種の表示器からなる。
【００３３】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００３４】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３５】
網制御装置１１は、このネットワークファクシミリ装置をアナログ公衆回線網ＰＳＴＮに接続するためのものであり、自動発着信機能を備えている。
【００３６】
ローカルエリアネットワークインターフェース回路１２は、このネットワークファクシミリ装置をローカルエリアネットワーク（ＬＡＮａまたはＬＡＮｂ）に接続するためのものであり、ローカルエリアネットワーク伝送制御部１３は、ローカルエリアネットワークを介して、他のデータ端末装置との間で種々のデータをやりとりするための各種所定のプロトコルスイートの通信制御処理（ネットワークファクシミリ通信機能の制御処理を含む）を実行するためのものである。
【００３７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００３８】
また、網制御装置１１とグループ３ファクシミリモデム１０との間のデータのやりとりは、直接行なわれている。
【００３９】
ここで、本実施例において、基本的には、ローカルエリアネットワークＬＡＮａ，ＬＡＮｂに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ　Ｍａｉｌ　Ｔｒａｎｓｆｅｒ　Ｐｒｏｔｏｃｏｌ）という通信プロトコルが適用される。
【００４０】
また、各端末がメールサーバ装置ＭＳａ，ＭＳｂに対して、ユーザ宛の電子メールの受信確認や取得要求などのために適用するプロトコルとしては、いわゆるＰＯＰ（Ｐｏｓｔ　Ｏｆｆｉｃｅ　Ｐｒｏｔｏｃｏｌ）などを適用することができる。
【００４１】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ　ＰｕｒｐｏｓｅＭａｉｌ　Ｅｘｔｅｎｓｉｏｎ）形式）などでそれぞれ規定されている。
【００４２】
また、ネットワークファクシミリ装置ＦＡ１，ＦＡ２，ＦＢは、１つのキー操作で宛先を指定可能なワンタッチダイアル機能を備えており、このワンタッチダイアル機能のそれぞれのワンタッチダイアルキー（操作表示部７に設けられる；図示略）には、図３（ａ）に示すようなワンタッチダイアル情報が登録される。
【００４３】
このワンタッチダイアル情報は、ワンタッチダイアル番号、登録された宛先名称、および、１つ以上の宛先情報からなる。また、宛先情報は、同図（ｂ）に示すように、通信プロトコルをあらわす通信種別と、当該通信種別に対応したアドレス情報からなる。
【００４４】
したがって、１つのワンタッチダイアル情報は、例えば、同図（ｃ）に示すように、４つの宛先情報＃１〜＃４を含むことができる。この場合、宛先情報＃１としては通信種別とアドレス情報に「Ｔ．３８」と「ｉｆａｘｂ１．ｘｙｚ．ｃｏ．ｊｐ」がそれぞれ登録され、宛先情報＃２としては通信種別とアドレス情報に「Ｄ−ＳＭＴＰ」と「ｉｆａｘｂ１＠ｉｆａｘｂ１．ｘｙｚ．ｃｏ．ｊｐ」がそれぞれ登録され、宛先情報＃３としては通信種別とアドレス情報「Ｔ．３７」と「ｉｆａｘｂ１＠ｉｆａｘｂ１．ｘｙｚ．ｃｏ．ｊｐ」がそれぞれ登録され、宛先情報＃４としては通信種別とアドレス情報に「ファクシミリ」と「０６−１２３４−５６７」がそれぞれ登録されている。
【００４５】
また、ワンタッチダイアル情報に含まれる宛先情報の数は、登録されている宛先について対応したものであり、Ｔ．３８方式やＤ−ＳＭＴＰについての宛先情報が含まれない場合がある。
【００４６】
また、本実施例では、通信毎に形成指定保存する通信履歴情報に、その通信で使用した通信方式の種別をあらわす情報を追加して登録し、通信履歴を一覧表示する通信管理レポートに、通信種別を表示するようにしている。
【００４７】
この通信管理レポートの一例を図４に示す。この例では、通信モードの欄の表示内容として、「Ｍａｉｌ（Ｔ．３７）」と、使用した通信種別が括弧書きで表示されている。
【００４８】
このように、通信管理レポートに使用した通信種別を明確に表示することで、ユーザは、実際に使用された通信種別がどれであったかを明確に知ることができ、例えば、同一宛先に対して次に画情報を送信する場合の操作の参考にすることができる。
【００４９】
図５は、ユーザが読取原稿をスキャナ５にセットして、画情報送信を行う場合に、ネットワークファクシミリ装置ＦＡ１，ＦＡ２，ＦＢが行う処理の一例を示している。この場合、宛先の入力は、ワンタッチダイアルが用いられる。
【００５０】
まず、ユーザが読取原稿をスキャナ５にセットし（処理１０１）、操作表示部７のワンタッチダイアルキーを操作して、宛先を入力するとともに（処理１０２）、使用する通信種別を入力する（処理１０３）。この通信種別の入力では、操作したワンタッチダイアルキーのワンタッチダイアル情報に登録されている通信種別の一覧が表示されて、ユーザは、その一覧表示からいずれか１つを選択するという方法を採用することができる。
【００５１】
そして、その状態で、ユーザが送信開始を指令するまで待つ（判断１０４のＮＯループ）。
【００５２】
ユーザが送信開始を指令した場合で、判断１０４の結果がＹＥＳになると、スキャナ５にセットされた読取原稿を読み取って画像データを形成し、その画像データを符号化復号化部８で所定の符号化方式で符号化圧縮し、それによって得た画情報を画像蓄積装置９に蓄積する（処理１０５）。
【００５３】
次いで、処理１０２で入力されたワンタッチダイアルキーに登録されているワンタッチダイアル情報から、処理１０３で選択された通信種別の宛先情報を選択し（処理１０６）、その選択した通信種別の通信動作を行って、処理１０５で画像蓄積装置９に蓄積した画情報を宛先へ送信する（処理１０７）。
【００５４】
この処理１０７の送信処理が正常に終了したかどうかを調べる（判断１０８）。判断１０８の結果がＮＯになるときには、全ての通信種別について送信動作を行ったかどうかを調べ（判断１０９）、判断１０９の結果がＮＯになるときには、ワンタッチダイアル情報に登録されている他の通信種別を選択し（処理１１０）、処理１０７へ戻り、新たに選択した通信種別の送信動作を行う。なお、この選択については、ネットワークファクシミリ通信機能の通信種別を最初に選択し、「ファクシミリ」は、最後に選択する。
【００５５】
また、送信動作が正常に終了した場合で、判断１０８の結果がＹＥＳになる場合、あるいは、使用可能な全ての通信種別について送信動作が正常に終了しなかった場合、すなわち、画情報の送信が最終的に失敗した場合で、判断１０９の結果がＹＥＳになるときには、そのときの送信動作について、所定の通信履歴情報を形成して保存し（処理１１１）、このときの送信動作を終了する。
【００５６】
このようにして、本実施例では、宛先が指定されると、ワンタッチダイアルキーに登録されている通信種別について、順次送信動作を試しているので、ユーザが宛先に対して使用可能な通信種別を知らなくとも、画情報送信を行うことができ、非常に便利である。
【００５７】
また、図６（ａ）に示すように、ワンタッチダイアル情報に登録する宛先情報に、通信種別を選択する優先順位を設定することができる。その場合、１つのワンタッチダイアル情報の内容は、同図（ｂ）に示したものとなる。この場合には、「Ｔ．３８」、「Ｄ−ＳＭＴＰ」、「Ｔ．３７」、「ファクシミリ」の順に優先順位が設定され、第１位の「Ｔ．３８」が最初に試される通信種別として選択される。
【００５８】
図７は、この場合に、ユーザが読取原稿をスキャナ５にセットして、画情報送信を行う場合に、ネットワークファクシミリ装置ＦＡ１，ＦＡ２，ＦＢが行う処理の一例を示している。この場合、宛先の入力は、ワンタッチダイアルが用いられる。
【００５９】
まず、ユーザが読取原稿をスキャナ５にセットし（処理２０１）、操作表示部７のワンタッチダイアルキーを操作して、宛先を入力する（処理２０２）。そして、その状態で、ユーザが送信開始を指令するまで待つ（判断２０３のＮＯループ）。
【００６０】
ユーザが送信開始を指令した場合で、判断２０３の結果がＹＥＳになると、スキャナ５にセットされた読取原稿を読み取って画像データを形成し、その画像データを符号化復号化部８で所定の符号化方式で符号化圧縮し、それによって得た画情報を画像蓄積装置９に蓄積する（処理２０４）。
【００６１】
次いで、処理２０２で入力されたワンタッチダイアルキーに登録されているワンタッチダイアル情報から、優先順位が「１」に設定されている通信種別の宛先情報を選択し（処理２０５）、その選択した通信種別の通信動作を行って、処理２０４で画像蓄積装置９に蓄積した画情報を宛先へ送信する（処理２０６）。
【００６２】
この処理２０６の送信処理が正常に終了したかどうかを調べる（判断２０７）。判断２０７の結果がＮＯになるときには、全ての通信種別について送信動作を行ったかどうかを調べ（判断２０８）、判断２０８の結果がＮＯになるときには、ワンタッチダイアル情報に登録されている他の通信種別を選択し（処理２０９）、処理２０６へ戻り、新たに選択した通信種別の送信動作を行う。
【００６３】
また、送信動作が正常に終了した場合で、判断２０７の結果がＹＥＳになる場合、あるいは、使用可能な全ての通信種別について送信動作が正常に終了しなかった場合、すなわち、画情報の送信が最終的に失敗した場合で、判断２０８の結果がＹＥＳになるときには、そのときの送信動作について、所定の通信履歴情報を形成して保存し（処理２１０）、このときの送信動作を終了する。
【００６４】
このようにして、本実施例では、宛先が指定されると、ワンタッチダイアルキーに登録されている通信種別の優先順位に従って、順次通信種別が選択されて、順次送信動作が試されるので、ユーザは、通信種別を設定入力する必要がなく、非常に便利である。
【００６５】
次に、ユーザが宛先のアドレスを、ワンタッチダイアルキーを用いないで直接操作入力する場合について考える。この場合、例えば、「ｉｆａｘｂ１」という「＠」を含まない内容か、「ｉｆａｘｂ１＠ｉｆａｘｂ１．ｘｙｚ．ｃｏ．ｊｐ」という電子メールアドレスのいずれかが入力される。
【００６６】
「＠」を含まないアドレスが入力される場合は、ユーザが相手端末のホスト名を入力した場合か、あるいは、電子メールアドレスのローカルパートを入力した場合であるので、この場合には、Ｔ．３８方式か、Ｔ．３７方式のいずれかを選択することができる。
【００６７】
また、電子メールアドレスが入力される場合は、Ｄ−ＳＭＴＰ方式か、Ｔ．３７方式のいずれかを選択することができる。
【００６８】
そこで、本実施例では、「＠」を含まないアドレスが入力される場合は、図８（ａ）に示すような優先順位テーブル＃１を参照して通信種別の選択順序を規定し、また、電子メールアドレスが入力される場合は、同図（ｂ）に示すような優先順位テーブル＃２を参照して通信種別の選択順序を規定する。
【００６９】
これにより、ユーザが通信種別を特別に指定しなくとも、通信可能な通信種別を適用して、画情報送信を行うことができる。
【００７０】
図９は、この場合に、ユーザが読取原稿をスキャナ５にセットして、画情報送信を行う場合に、ネットワークファクシミリ装置ＦＡ１，ＦＡ２，ＦＢが行う処理の一例を示している。この場合、宛先の入力は、ワンタッチダイアルが用いられる。
【００７１】
まず、ユーザが読取原稿をスキャナ５にセットし（処理３０１）、操作表示部７を操作して、宛先のアドレス情報を直接入力する（処理３０２）。そして、その状態で、ユーザが送信開始を指令するまで待つ（判断３０３のＮＯループ）。
【００７２】
ユーザが送信開始を指令した場合で、判断３０３の結果がＹＥＳになると、スキャナ５にセットされた読取原稿を読み取って画像データを形成し、その画像データを符号化復号化部８で所定の符号化方式で符号化圧縮し、それによって得た画情報を画像蓄積装置９に蓄積する（処理３０４）。
【００７３】
次いで、処理３０２で入力されたアドレス情報の内容を調べて、電子メールアドレスであるかどうかを調べる（処理３０５、判断３０６）。電子メールアドレスであると判定された場合で、判断３０６の結果がＹＥＳになるときには、優先順位テーブル＃２を選択し（処理３０７）、また、判断３０６の結果がＮＯになるときには、優先順位テーブル＃１を選択する（処理３０８）。
【００７４】
そして、その選択した優先順位テーブルから、第１位の通信種別の宛先情報を選択し（処理３０９）、その選択した通信種別の通信動作を行って、処理３０４で画像蓄積装置９に蓄積した画情報を宛先へ送信する（処理３１０）。
【００７５】
この処理３１０の送信処理が正常に終了したかどうかを調べる（判断３１１）。判断３１１の結果がＮＯになるときには、優先順位テーブルに登録されている全ての通信種別について送信動作を行ったかどうかを調べ（判断３１２）、判断３１２の結果がＮＯになるときには、ワンタッチダイアル情報に登録されている他の通信種別を選択し（処理３１３）、処理３１０へ戻り、新たに選択した通信種別の送信動作を行う。
【００７６】
また、送信動作が正常に終了した場合で、判断３１１の結果がＹＥＳになる場合、あるいは、使用可能な全ての通信種別について送信動作が正常に終了しなかった場合、すなわち、画情報の送信が最終的に失敗した場合で、判断３１２の結果がＹＥＳになるときには、そのときの送信動作について、所定の通信履歴情報を形成して保存し（処理３１３）、このときの送信動作を終了する。
【００７７】
このようにして、本実施例では、ユーザが直接アドレス情報を入力した場合でも、適切な通信種別が選択されて、画情報の送信動作が行われる。
【００７８】
なお、宛先を指定するアドレス情報としては、ＩＰアドレスを用いることもできる。また、ＴＴＣ標準Ｈ．３２３に従うＨ３２３端末（Ｔ．３８端末が含まれる）に本発明を適用する場合には、ゲートキーパに登録するエイリアス等の情報をアドレス情報として用いることもできる。
【００７９】
また、ネットワークファクシミリ装置の動作として、スキャン・ツー・電子メール（スキャナで読み取った画像データを電子メールを用いて送信する）方式、スキャン・ツー・ピーシー（ＳＭＢプロトコルにて共有フォルダにピア・ツー・ピアで送信）方式等を採用することもできる。
【００８０】
【発明の効果】
以上説明したように、本発明によれば、複数の通信方式を設定可能な通信端末装置において、ユーザが指定した通信方式での送信が失敗しても、自動的に他の通信方式で送信を試みることができるので、相手先とのネットワーク構成をユーザが意識しなくても画像データを送信することが可能となるという効果を得る。また、相手通信端末装置との間のネットワークが不調であったり、相手通信端末装置の電源が一時的に落ちていても、画像データを送信することが可能となるという効果も得る。
【００８１】
また、ユーザが通信方式によるアドレスを指定しなくても送信可能な通信方式で画像データを送信することが可能となるという効果も得る。
【００８２】
また、ユーザが通信方式によるアドレスを指定しなくても、優先順位に基づいて適切な通信方式で画像データを送信することが可能となるという効果も得る。
【００８３】
また、ユーザが指定したアドレスを判断し、優先順位に基づいて適切な通信方式で画像データを送信することが可能となるという効果も得る。
【００８４】
また、ユーザが指定したアドレスを判断し、自動的に適切な通信方式で画像データを送信することが可能となるという効果も得る。
【図面の簡単な説明】
【図１】本発明の一実施例にかかるネットワークシステムを示したブロック図。
【図２】ネットワークファクシミリ装置（ＦＡ１，ＦＡ２，ＦＢ）の構成例を示したブロック図。
【図３】ワンタッチダイアル情報および宛先情報の一例を示した概略図。
【図４】通信管理レポートの一例を示した概略図。
【図５】ユーザが読取原稿をスキャナ５にセットして、画情報送信を行う場合に、ネットワークファクシミリ装置ＦＡ１，ＦＡ２，ＦＢが行う処理の一例を示したフローチャート。
【図６】ワンタッチダイアル情報に登録される宛先情報の他の例を示した概略図。
【図７】ユーザが読取原稿をスキャナ５にセットして、画情報送信を行う場合に、ネットワークファクシミリ装置ＦＡ１，ＦＡ２，ＦＢが行う処理の他の例を示したフローチャート。
【図８】優先順位テーブルの一例を示した概略図。
【図９】ユーザが読取原稿をスキャナ５にセットして、画情報送信を行う場合に、ネットワークファクシミリ装置ＦＡ１，ＦＡ２，ＦＢが行う処理のさらに他の例を示したフローチャート。
【符号の説明】
ＦＡ１，ＦＡ２，ＦＢ　ネットワークファクシミリ装置
【図１】
2004104313.tif 000003
【図２】
2004104313.tif 000004
【図３】
2004104313.tif 000005
【図４】
2004104313.tif 000006
【図５】
2004104313.tif 000007
【図６】
2004104313.tif 000008
【図７】
2004104313.tif 000009
【図８】
2004104313.tif 000010
【図９】
2004104313.tif 000011